(57)【要約】【課題】屋根部を取り外して地面上に載置し、屋根部の下に模擬人形を配置し、模擬した倒壊家屋内に救助者が閉じ込められていると想定し、野地板材をノコギリにより切断したりすることができ、防災訓練設備としてほぼ実物に近い建物の模擬形態となっているから、災害発生時の緊張感や防災意識の高揚に寄与することができる。【解決手段】土台部Ａ、側壁部Ｂ及び屋根部Ｃから構成され、土台部は四角枠部材１により形成され、側壁部は土台部の四角枠部材の四隅部に立設される四個の柱部材２と柱部材間に架設される横桟材２ａとからなる一対の側枠部材３・３及び隣り合う柱部材間に配置される四個の木材製の側壁板材４・４・・により形成され、屋根部は相互に着脱自在及び切妻屋根状に折曲自在な四角枠状の一対の屋根部材５・５、各屋根部材に載置される木材製の野地板材６・６・・及び野地板材上に配設される木材製の屋根板材７・７により形成される。【選択図】図６
2016118715.tif 000002
【特許請求の範囲】
【請求項１】
土台部、側壁部及び屋根部から構成され、上記土台部は四角枠部材により形成され、上記側壁部は該土台部の四角枠部材の四隅部に立設される四個の柱部材と該柱部材間に架設される横桟材とからなる一対の側枠部材及び該隣り合う柱部材間に配置される四個の木材製の側壁板材により形成され、上記屋根部は相互に着脱自在及び切妻屋根状に折曲自在な四角枠状の一対の屋根部材、該各屋根部材に載置される木材製の野地板材及び該野地板材上に配設される木材製の屋根板材により形成され、上記土台部の四角枠部材の四隅部に下嵌脱部材を立設し、該下嵌脱部材に上記柱部材の下端部を嵌脱自在に設け、上記屋根部の各屋根部材に該柱部材の上端部に嵌脱自在な上嵌脱部材を垂設し、該上嵌脱部材に上記柱部材の上端部を嵌脱自在に設け、上記土台部の四角枠部材の上面及び上記側壁部の各柱部材の対向側面に、上記側壁部の四個の側壁板材の下辺部及び左右の側辺部が嵌脱可能な上部が開口する凹溝部を形成し、上記屋根部の四角枠状の一対の屋根部材の下部内面及び左右の側部内面に、上記屋根板材の下辺部及び左右の側辺部が挿脱自在な上部が開口する凹溝部を形成してなることを特徴とする防災訓練設備。
【請求項２】
上記屋根部の四角枠状の各屋根部材の上部及び下部間に桟材を複数個架設し、該複数個の桟材に上記野地板材の上下の両側面を係止する対向一対の係止部を配設してなることを特徴とする請求項１記載の防災訓練設備。
【請求項３】
上記土台部は上記四角枠部材に車輪を配設して台車枠状に形成されていることを特徴とする請求項１又は２記載の防災訓練設備。
【請求項４】
上記屋根部の一対の屋根部材は抜差蝶番により相互に着脱自在及び切妻屋根状に折曲自在に設けられていることを特徴とする請求項１〜３のいずれか１項に記載の防災訓練設備。
【請求項５】
上記屋根部の一対の屋根部材間に該屋根部材を切妻屋根状に折曲保持可能な保持杆を着脱自在に架設してなることを特徴とする請求項１〜４のいずれか１項に記載の防災訓練設備。
【発明の詳細な説明】
【技術分野】
【０００１】
本発明は、例えば地震、風水害等の災害時における倒壊家屋からの人命救助訓練や消火訓練の標的に使用される防災訓練設備に関するものである。
【背景技術】
【０００２】
従来、この種の防災訓練設備として、例えば、倒壊家屋を模擬する柱からなる構造のものが知られている。
【０００３】
しかして、地方自治体、町内会、自治防災会、各種の合同防災訓練などにおいて、これら防災訓練設備としての模擬の柱を救出対象とした模擬人形の上に配置し、人手により柱を取り除いたり、柱をノコギリで切断したり、柱をジャッキで持ち上げたり、バール、その他の防災資機材を使用して模擬人形を救出するなどの防災訓練を行うようにしている。
【先行技術文献】
【特許文献】
【０００４】
【特許文献１】特開平１０−２８２８７５号公報
【特許文献２】特許第３８９３５０６号
【特許文献３】実用新案登録第３１４７６４４号
【発明の概要】
【発明が解決しようとする課題】
【０００５】
しかしながら上記従来構造の場合、防災訓練設備として模擬の柱が用いられているだけであるから、災害発生時の緊張感や防災意識を高揚するまでには至らないことがあり、それだけ、防災訓練による効果が低くなることがあるという不都合を有している。
【課題を解決するための手段】
【０００６】
本発明はこれらの不都合を解決することを目的とするもので、本発明のうちで、請求項１記載の発明は、土台部、側壁部及び屋根部から構成され、上記土台部は四角枠部材により形成され、上記側壁部は該土台部の四角枠部材の四隅部に立設される四個の柱部材と該柱部材間に架設される横桟材とからなる一対の側枠部材及び該隣り合う柱部材間に配置される四個の木材製の側壁板材により形成され、上記屋根部は相互に着脱自在及び切妻屋根状に折曲自在な四角枠状の一対の屋根部材、該各屋根部材に載置される木材製の野地板材及び該野地板材上に配設される木材製の屋根板材により形成され、上記土台部の四角枠部材の四隅部に下嵌脱部材を立設し、該下嵌脱部材に上記柱部材の下端部を嵌脱自在に設け、上記屋根部の各屋根部材に該柱部材の上端部に嵌脱自在な上嵌脱部材を垂設し、該上嵌脱部材に上記柱部材の上端部を嵌脱自在に設け、上記土台部の四角枠部材の上面及び上記側壁部の各柱部材の対向側面に、上記側壁部の四個の側壁板材の下辺部及び左右の側辺部が嵌脱可能な上部が開口する凹溝部を形成し、上記屋根部の四角枠状の一対の屋根部材の下部内面及び左右の側部内面に、上記屋根板材の下辺部及び左右の側辺部が挿脱自在な上部が開口する凹溝部を形成してなることを特徴とする防災訓練設備にある。
【０００７】
又、請求項２記載の発明は、上記屋根部の四角枠状の各屋根部材の上部及び下部間に桟材を複数個架設し、該複数個の桟材に上記野地板材の上下の両側面を係止する対向一対の係止部を配設してなることを特徴とするものであり、又、請求項３記載の発明は、上記土台部は上記四角枠部材に車輪を配設して台車枠状に形成されていることを特徴とするものであり、又、請求項４記載の発明は、上記屋根部の一対の屋根部材は抜差蝶番により相互に着脱自在及び切妻屋根状に折曲自在に設けられていることを特徴とするものであり、又、請求項５記載の発明は、上記屋根部の一対の屋根部材間に該屋根部材を切妻屋根状に折曲保持可能な保持杆を着脱自在に架設してなることを特徴とするものである。
【発明の効果】
【０００８】
本発明は上述の如く、本発明のうち、請求項１記載の発明にあっては、土台部の四角枠部材の四隅部に側壁部の四個の柱部材を立設して一対の側枠部材を配設し、隣り合う柱部材間に四個の木材製の側壁板材を配設し、屋根部の一対の屋根部材を相互に連結して切妻屋根状に折曲形成し、各屋根部材に木材製の野地板材を載置し、野地板材上に木材製の屋根板材を配設し、これにより防災訓練用模擬建物としての防災訓練設備を構築することになり、例えば、屋根部を取り外して地面上に載置し、屋根部の下に模擬人形を配置し、模擬した倒壊家屋内に救助者が閉じ込められていると想定し、野地板材をノコギリにより切断したり、バールにより釘抜き訓練をしたりして救助訓練を行ったり、消防ホースからの放水により効果的な放水位置を指導するなどの消火訓練を行ったりすることができ、防災訓練設備としてほぼ実物に近い建物の模擬形態となっているから、災害発生時の緊張感や防災意識の高揚に寄与することができ、それだけ、防災訓練による防災効果を高めることができ、さらに、上記土台部の四角枠部材の四隅部に下嵌脱部材を立設し、下嵌脱部材に上記柱部材の下端部を嵌脱自在に設けているから、下嵌脱部材と柱部材の下端部との嵌脱を容易に行うことができて土台部と側壁部との着脱を容易に行うことができ、かつ、上記屋根部の四角枠状の各屋根部材に柱部材の上端部に上嵌脱部材を垂設し、上嵌脱部材に上記柱部材の上端部を嵌脱自在に設けているから、側壁部と屋根部との着脱を容易に行うことができ、さらに、上記土台部の四角枠部材の上面及び上記側壁部の各柱部材の対向側面に、上記側壁部の四個の側壁板材の下辺部及び左右の側辺部が嵌脱可能な上部が開口する凹溝部を形成しているから、四個の側壁板材を凹溝部の開口上部から挿入することにより容易に配置することができ、さらに、上記屋根部の四角枠状の一対の屋根部材の下部内面及び左右の側部内面に、上記屋根板材の下辺部及び左右の側辺部が挿脱自在な上部が開口する凹溝部を形成しているから、屋根板材を凹溝部の棟側となる開口上部から挿入することにより屋根部材に屋根板材を容易に配置することができ、消耗材としての木材製の側壁板材及び木材製の屋根板材を容易に取替交換をすることができ、良好な防災訓練設備を提供することができる。
【０００９】
又、請求項２記載の発明にあっては、上記屋根部の四角枠状の各屋根部材の上部及び下部間に桟材を複数個架設し、複数個の桟材に上記野地板材の上下の両側面を係止する対向一対の係止部を突出配設しているから、野地板材の位置決め及び取替交換を容易に行うことができ、又、請求項３記載の発明にあっては、上記土台部は上記四角枠部材に車輪を配設して台車枠状に形成されているから、土台部に分解時の側壁部及び屋根部を載置したり、各種運搬物を載置して搬送用台車として使用することができ、又、請求項４記載の発明にあっては、上記屋根部の一対の屋根部材は抜差蝶番により相互に着脱自在及び切妻屋根状に折曲自在に設けられているから、一対の屋根部材の取り外し及び折曲を容易に行うことができ、又、請求項５記載の発明にあっては、上記屋根部の一対の屋根部材間に上記各屋根部材を切妻屋根状に折曲保持可能な保持杆を着脱自在に架設して構成しているから、保持杆により上記各屋根部材を切妻屋根状に折曲保持することができ、屋根部を側壁部から容易に取り外すことができ、屋根部のみを地面上に載置することにより倒壊屋根に模擬することができ、防災訓練設備の融通性を高めることができる。
【図面の簡単な説明】
【００１０】
【図１】本発明の実施の形態例の全体斜視図である。
【図２】本発明の実施の形態例の全体断面図である。
【図３】本発明の実施の形態例の全体平断面図である。
【図４】本発明の実施の形態例の部分平断面図である。
【図５】本発明の実施の形態例の部分側断面図である。
【図６】本発明の実施の形態例の骨組体の斜視図である。
【図７】本発明の実施の形態例の骨組体の分解斜視図である。
【図８】本発明の実施の形態例の板材の分解斜視図である。
【図９】本発明の実施の形態例の骨組体の部分分解斜視図である。
【図１０】本発明の実施の形態例の使用状態図である。
【図１１】本発明の実施の形態例の使用状態図である。
【図１２】本発明の実施の形態例の使用状態図である。
【発明を実施するための形態】
【００１１】
図１乃至図１２は本発明の実施の形態例を示し、大別して、土台部Ａ、側壁部Ｂ及び屋根部Ｃから構成され、このうち、上記土台部Ａは、図７の如く、四個のアルミニウム型材を溶接してなる四角枠部材１により形成されている。この場合、全体形状において、幅が約１８０ｃｍ、奥行が約１７０ｃｍ、高さが約１３０ｃｍである。
【００１２】
又、上記側壁部Ｂは、図２、図３、図４、図６、図７、図８の如く、上記土台部Ａの四角枠部材１の四隅部に立設される四個の柱部材２・２・・と柱部材２・２・・間に架設される横桟材２ａ・２ａ・・とからなる一対の側枠部材３・３及び隣り合う柱部材２・２・・間に配置される四個の木材製の側壁板材４・４・・により形成されている。
【００１３】
又、上記屋根部Ｃは、図１、図２、図５、図６、図７、図８の如く、相互に着脱自在及び切妻屋根状に折曲自在な四角枠状の一対の屋根部材５・５、各屋根部材５・５に載置される木材製の野地板材６・６・・及び野地板材６・６・・上に配設される木材製の屋根板材７・７により形成されている。
【００１４】
この場合、図６、図７の如く、上記土台部Ａの四角枠部材１の四隅部に下嵌脱部材１ａ・１ａ・・を立設し、図４、図７の如く、上記柱部材２・２・・の下端部に下嵌脱部材１ａ・１ａ・・の嵌合穴Ｍに嵌脱可能な２個のＬ型材からなる嵌脱突部Ｋを形成し、嵌合穴Ｍと嵌脱突部Ｋとの嵌合により下嵌脱部材１ａ・１ａ・・に上記柱部材２・２・・の下端部を嵌脱自在に設けて構成している。
【００１５】
又、この場合、図７、図８の如く、上記屋根部Ｃの四角枠状の各屋根部材５・５・・に柱部材２・２・・の上端部に嵌脱自在な２個一対の計４個の上嵌脱部材５ａ・５ａ・・を垂設し、上記柱部材２・２・・の上端部に上嵌脱部材５ａ・５ａ・・の嵌合穴Ｍに嵌脱可能な２個のＬ型材からなる嵌脱突部Ｋを形成し、嵌合穴Ｍと嵌脱突部Ｋとの嵌合により上嵌脱部材５ａ・５ａ・・に上記柱部材２・２・・の上端部を嵌脱自在に設けて構成している。
【００１６】
そして、図４の如く、上記土台部Ａの四角枠部材１の上面１Ｕ及び上記側壁部Ｂの各柱部材２・２・・の対向側面２Ｓ・２Ｓ・・に、上記側壁部Ｂの四個の側壁板材４・４・・の下辺部及び左右の側辺部が嵌脱可能な上部が開口ＧＰ・・する凹溝部Ｇ・・を形成し、各柱部材２・２・・に凹溝部Ｇ・・内に挿入配置された側壁板材４・４・・を止着する締付ボルトＰを配設し、かつ、図５、図７の如く、上記屋根部Ｃの四角枠状の一対の屋根部材５・５の下部５Ｄ内面及び左右の側部５Ｓ・５Ｓ内面に、上記屋根板材７・７の下辺部及び左右の側辺部が挿脱自在な上部が開口ＧＰ・・する凹溝部Ｇ・・を形成して構成している。
【００１７】
この場合、図５、図７の如く、上記屋根部Ｃの四角枠状の各屋根部材５・５の上部５Ｕ及び下部５Ｄ間に桟材５ｂ・５ｂ・・を複数個、この場合、４個宛計８個架設し、この複数個の桟材５ｂ・５ｂ・・に上記野地板材６・６・・の上下の両側面を係止する対向一対の係止部５ｃ・５ｃ・・を突出配設している。
【００１８】
又、この場合、図１、図２、図４の如く、上記土台部Ａは上記四角枠部材１に車輪８・・を配設して台車枠状に形成されている。
【００１９】
又、この場合、図７の如く、上記屋根部Ｃの一対の屋根部材５・５は筒部９ａ及び挿脱ピン９ｂからなる抜差蝶番９により相互に着脱自在及び切妻屋根状に折曲自在に設けられている。
【００２０】
又、この場合、図１、図７、図９の如く、上記屋根部Ｃの一対の屋根部材５・５間に、この場合、上記上嵌脱部材５ａ・５ａ・・に係止ボルトＱ・Ｑを取り付け、係止ボルトＱ・Ｑ間に、上記各屋根部材５・５を切妻屋根状に折曲保持可能な保持杆１０を係止ボルトＱ・Ｑと係合溝部１０ａ・１０ａとの嵌合作用により着脱自在に架設して構成している。
【００２１】
この実施の形態例は上記構成であるから、図７の如く、土台部Ａの四角枠部材１の四隅部に側壁部Ｂの四個の柱部材２・２・・を立設して一対の側枠部材３・３を配設し、隣り合う柱部材２・２・・間に四個の木材製の側壁板材４・４・・を配設し、屋根部Ｃの一対の屋根部材５・５を相互に連結して切妻屋根状に折曲形成し、各屋根部材５・５に木材製の野地板材６・６・・を載置し、野地板材６・６・・上に木材製の屋根板材７・７を配設し、これにより防災訓練用模擬建物としての防災訓練設備Ｗを構築することになり、例えば、図１０の如く、防災訓練設備Ｗの屋根部Ｃを取り外して地面上に載置し、屋根部Ｃの下に模擬人形を配置し、模擬した倒壊家屋内に救助者が閉じ込められていると想定し、野地板材６・６・・をノコギリＮにより切断したり、図１１の如く、バールＬにより釘抜き訓練をしたりして救助訓練を行ったり、図１２の如く、消防ホースＨからの放水により効果的な放水位置を指導するなどの消火訓練を行ったりすることができ、防災訓練設備Ｗとしてほぼ実物に近い建物の模擬形態となっているから、災害発生時の緊張感や防災意識の高揚に寄与することができ、それだけ、防災訓練による防災効果を高めることができる。
【００２２】
この場合、上記土台部Ａの四角枠部材１の四隅部に下嵌脱部材１ａ・１ａ・・を立設し、図４、図７の如く、上記柱部材２・２・・の下端部に下嵌脱部材１ａ・１ａ・・の嵌合穴Ｍに嵌脱可能な２個のＬ型材からなる嵌脱突部Ｋを形成し、嵌合穴Ｍと嵌脱突部Ｋとの嵌合により下嵌脱部材１ａ・１ａ・・に上記柱部材２・２・・の下端部を嵌脱自在に設けているから、下嵌脱部材１ａ・１ａ・・と柱部材２・２・・の下端部との嵌脱を容易に行うことができて土台部Ａと側壁部Ｂとの着脱を容易に行うことができ、かつ、上記屋根部Ｃの四角枠状の各屋根部材５・５・・に柱部材２・２・・の上端部に嵌脱自在な２個一対の計４個の上嵌脱部材５ａ・５ａ・・を垂設し、上記柱部材２・２・・の上端部に上嵌脱部材５ａ・５ａ・・の嵌合穴Ｍに嵌脱可能な２個のＬ型材からなる嵌脱突部Ｋを形成し、嵌合穴Ｍと嵌脱突部Ｋとの嵌合により上嵌脱部材５ａ・５ａ・・に上記柱部材２の上端部を嵌脱自在に設けているから、側壁部Ｂと屋根部Ｃとの着脱を容易に行うことができ、さらに、図４の如く、上記土台部Ａの四角枠部材１の上面１Ｕ及び上記側壁部Ｂの各柱部材２・２・・の対向側面２Ｓ・２Ｓ・・に、上記側壁部Ｂの四個の側壁板材４・４・・の下辺部及び左右の側辺部が嵌脱可能な上部が開口ＧＰ・・する凹溝部Ｇ・・を形成し、各柱部材２・２・・に凹溝部Ｇ・・内に挿入配置された側壁板材４・４・・を止着する締付ボルトＰを配設しているから、４個の側壁板材４・４・・を凹溝部Ｇ・・の開口ＧＰ上部から挿入することにより容易に配置することができ、さらに、図５、図７の如く、上記屋根部Ｃの四角枠状の一対の屋根部材５・５の下部５Ｄ内面及び左右の側部５Ｓ・５Ｓ内面に、上記屋根板材７・７の下辺部及び左右の側辺部が挿脱自在な上部が開口ＧＰ・・する凹溝部Ｇ・・を形成しているから、屋根板材７・７を凹溝部Ｇ・・の棟側となる上部から挿入することにより屋根部材５・５に屋根板材７・７を容易に配置することができ、しかして、消耗材としての木材製の側壁板材４・４・・及び木材製の屋根板材７・７を容易に取替交換をすることができ、良好な防災訓練設備Ｗを提供することができる。
【００２３】
この場合、図５、図７の如く、上記屋根部Ｃの四角枠状の各屋根部材５・５の上部５Ｕ及び下部５Ｄ間に桟材５ｂ・５ｂ・・を複数個、この場合、４個宛計８個架設し、この複数個の桟材５ｂ・５ｂ・・に上記野地板材６・６・・の上下の両側面を係止する対向一対の係止部５ｃ・５ｃ・・を突出配設しているから、野地板材６・６・・の取替交換を容易に行うことができ、又、この場合、図１、図２、図４の如く、上記土台部Ａは上記四角枠部材１に車輪８・・を配設して台車枠状に形成されているから、土台部Ａに分解時の側壁部Ｂ及び屋根部Ｃを載置したり、各種運搬物を載置して搬送用台車として使用することができ、又、この場合、図７の如く、上記屋根部Ｃの一対の屋根部材５・５は筒部９ａ及び挿脱ピン９ｂからなる抜差蝶番９により相互に着脱自在及び切妻屋根状に折曲自在に設けられているから、一対の屋根部材５・５の取り外し及び折曲を容易に行うことができ、又、この場合、図１、図７、図９の如く、上記屋根部Ｃの一対の屋根部材５・５間に、この場合、上記上嵌脱部材５ａ・５ａ・・に係止ボルトＱ・Ｑを取り付け、係止ボルトＱ・Ｑ間に、上記各屋根部材５・５を切妻屋根状に折曲保持可能な保持杆１０を係止ボルトＱ・Ｑと係合溝部１０ａ・１０ａとの嵌合作用により着脱自在に架設して構成しているから、保持杆１０の架設により上記各屋根部材５・５を切妻屋根状に折曲保持することができ、屋根部Ｃを側壁部Ｂから容易に取り外すことができ、屋根部Ｃのみを地面上に載置することにより倒壊屋根に模擬することができ、防災訓練設備Ｗの融通性を高めることができる。
【００２４】
尚、本発明は上記実施の形態例に限られるものではなく、土台部Ａ、側壁部Ｂ及び屋根部Ｃ等の形態、構造、材質等は適宜変更して設計される。
【００２５】
以上の如く、所期の目的を充分達成することができる。
【符号の説明】
【００２６】
Ｗ    防災訓練設備
Ａ    土台部
Ｂ    側壁部
Ｃ    屋根部
Ｇ    凹溝部
ＧＰ    開口
１    四角枠部材
１ａ    下嵌脱部材
１Ｕ    上面
２    柱部材
２ａ    横桟材
３    側枠部材
４    側壁板材
５    屋根部材
５ａ    上嵌脱部材
５ｂ    桟材
５ｃ    係止部
５Ｄ    下部
５Ｕ    上部
６    野地板材
７    屋根板材
８    車輪
９    抜差蝶番
１０    保持杆
【図１】
2016118715.tif 000003
【図２】
2016118715.tif 000004
【図３】
2016118715.tif 000005
【図４】
2016118715.tif 000006
【図５】
2016118715.tif 000007
【図６】
2016118715.tif 000008
【図７】
2016118715.tif 000009
【図８】
2016118715.tif 000010
【図９】
2016118715.tif 000011
【図１０】
2016118715.tif 000012
【図１１】
2016118715.tif 000013
【図１２】
2016118715.tif 000014